(57)【要約】      （修正有）【課題】トレーに収容した内視鏡を洗浄槽内に精度良く配設して、自動で洗浄消毒工程を実行する内視鏡洗浄消毒装置を提供する。【解決手段】内視鏡洗浄消毒装置１は、挿入部２１の形態、又は操作部２２の形態が異なる複数種類の内視鏡２０と、複数の内視鏡２０のうち、１つの内視鏡と対をなす挿入部２１及び操作部２２が収容される内視鏡収容部を備え、洗浄消毒装置本体２に設けられた洗浄槽４に配設される複数種類のトレー１０と、内視鏡２０及びトレー１０に設けられ、複数種類の内視鏡２０の中から使用された内視鏡と、複数種類のトレー１０の中から選択されたトレーとの組み合わせが、所定の組み合わせであるか否かを識別するトレーと内視鏡側識別部とを具備する。【選択図】図１
2009165708.tif 000002
【特許請求の範囲】
【請求項１】
内視鏡管路を備える挿入部の形態、又は前記内視鏡管路に連通する口金を備える操作部の形態が異なる複数種類の内視鏡のうち、１つの内視鏡と対をなす挿入部及び操作部が収容可能な内視鏡収容部と、
洗浄消毒装置本体に設けられた洗浄槽に配設される前記内視鏡収容部を有する複数種類のトレーと、
前記内視鏡及び前記トレーに設けられ、前記複数種類の内視鏡の中から使用された内視鏡と、前記複数種類のトレーの中から選択されたトレーとの組み合わせが、所定の組み合わせであるか否かを識別する識別手段と、
を具備することを特徴とする内視鏡洗浄消毒装置。
【請求項２】
前記識別手段は、前記内視鏡に設けられた内視鏡側識別部及び前記トレーに設けられたトレー側識別部であって、
前記トレーの内視鏡収容部と前記内視鏡とが対の組み合わせであるとき、前記内視鏡側識別部と前記トレー側識別部の色が同色であることを特徴とする請求項１に記載に記載の内視鏡洗浄消毒装置。
【請求項３】
前記識別手段は、前記内視鏡に設けられた内視鏡側識別部及び前記トレーに設けられたトレー側識別部であって、
前記トレーの内視鏡収容部と前記内視鏡とが対の組み合わせであるとき、前記内視鏡側識別部と前記トレー側識別部のシンボルマークが一致することを特徴とする請求項１に記載に記載の内視鏡洗浄消毒装置。
【請求項４】
前記識別手段は、前記内視鏡の操作部に設けられた係止部と前記トレーの操作部収容部に立設された係入凸部とであって、
前記トレーの内視鏡収容部と前記内視鏡とが対の組み合わせであるとき、前記係止部に前記係入凸部が係入することを特徴とする請求項１に記載に記載の内視鏡洗浄消毒装置。
【請求項５】
内視鏡管路を備える挿入部の形態、又は前記内視鏡管路に連通する口金を備える操作部の形態が異なる複数種類の内視鏡のうち、少なくとも何れかの内視鏡が収容される内視鏡収容部を有する複数種類のトレーが配設される洗浄槽を備える洗浄消毒装置本体と、
前記洗浄消毒装置本体に設けられ、前記トレーを前記洗浄槽に配設した際、前記トレーに収容されている前記内視鏡が前記洗浄槽に対して正しく配設されたか否かを判定する内視鏡配設位置判定手段と、
を具備することを特徴とする内視鏡洗浄消毒装置。
【請求項６】
前記内視鏡配設位置判定手段は、複数の検出装置であって、
前記トレーに当接する少なくとも１つの検出装置と、
前記トレーに形成された孔を通して前記内視鏡の操作部及び挿入部の先端側に当接する検出装置と、
であることを特徴とする請求項５に記載の内視鏡洗浄消毒装置。
【請求項７】
前記内視鏡配設位置判定手段は、複数の検出装置であって、
前記トレーを介して前記内視鏡に設けられた検出部を検出する検出装置であることを特徴とする請求項５に記載の内視鏡洗浄消毒装置。
【発明の詳細な説明】
【技術分野】
【０００１】
本発明は、使用後の内視鏡が収容されたトレーを洗浄槽に配設して、内視鏡の表面及び内視鏡管路を自動で洗浄、及び消毒する内視鏡洗浄消毒装置に関する。
【背景技術】
【０００２】
内視鏡は、検査や治療の目的で体腔内に挿入される。体腔内に挿入された内視鏡は、挿入部の外表面に体液や汚物等が付着するだけでなく、挿入部に設けられている処置具チャンネルを兼ねる吸引管路等の内視鏡管路内にも体液、汚物等が付着する。そのため、使用後の内視鏡においては、外表面、及び内視鏡管路を洗浄、消毒する必要がある。
【０００３】
一般に、洗浄消毒装置を用いて内視鏡の洗浄、及び消毒を行う場合、まず、ユーザーは、装置本体の洗浄槽に使用済みの内視鏡をセットする。次いで、内視鏡管路内を洗浄、消毒するため、内視鏡に備えられている各管路の口金と、洗浄槽に設けられた内視鏡管路内へ液体、気体等の流体を供給する各種供給用ノズルとをチューブ等を介して接続する。
【０００４】
次に、ユーザーは、洗浄消毒装置に設けられているトップカバーを閉じ、洗浄消毒装置に備えられている処理開始スイッチをＯＮ操作して洗浄工程、消毒工程を開始させる。洗浄工程において、洗浄槽内に所定水位の洗浄液が供給されると、洗浄が開始される。洗浄工程中、洗浄液は循環され、その水流にて内視鏡の外表面が洗浄される。一方、各供給用ノズルから供給される洗浄液によって各内視鏡管路内が洗浄される。
【０００５】
洗浄工程が終了すると、濯ぎ工程が行われ、その後、消毒工程が行われる。この消毒工程においても、洗浄液の場合と同様に、洗浄槽に、所定の濃度に調整された消毒液が所定水位まで供給されて、内視鏡の外表面及び各内視鏡管路内が消毒される。
【０００６】
その後、内視鏡の外表面及び各内視鏡管路内に、エアまたはアルコールが供給され、内視鏡の外表面及び各内視鏡管路内の乾燥を行って一連の工程を終了する。
【０００７】
例えば、特許文献１には内視鏡の設置位置を自動的に認識・確認し、内視鏡の設置位置が予め設定された設置位置から外れた場合にはその状況を報知することができるとともに、内視鏡各部位に合わせた洗滌を自動的に行うことができる内視鏡洗滌装置と洗滌情報付き内視鏡が示されている。この内視鏡洗滌装置では、前述したようにトップカバーが閉じられた後、内視鏡の設置状態のチェックを行う。即ち、制御部によって送受信回路及びアンテナを駆動して、図２０に示すように内視鏡１００に設けられている複数の例えばＲＦＩＤ１０１の位置情報を取得すると共に、少なくとも１つのＲＦＩＤに登録されている情報の読み取りを行う。図２０は内視鏡収容部を備えるトレーにＲＦＩＤを設けた内視鏡洗浄消毒装置を説明する模式図である。
【０００８】
ＲＦＩＤに登録されている情報には、内視鏡の型名、蛇管及びライトガイドケーブルの長さ、先端構成部の正しい設置位置、超音波に対する耐性等、その内視鏡に固有の設置に関する設置情報等が記録されている。
【０００９】
制御部は、内視鏡の設置情報と、各アンテナで取得した位置情報とを比較する。そして、比較した結果を元に、内視鏡の設置位置が誤っていた場合には警告表示を行い、内視鏡の設置位置が正しい範囲内であれば、自動で洗浄工程、消毒工程を実行する。そして、超音波洗滌時には、位置情報を元に超音波発振の出力を調整して、内視鏡の各部位に合わせた洗滌を行うことができる。
【特許文献１】特開２００２−２７２６８４号公報
【発明の開示】
【発明が解決しようとする課題】
【００１０】
しかしながら、特許文献１の内視鏡洗浄消毒装置では、ユーザーが内視鏡の管路を洗滌消毒する為に洗浄槽内の内視鏡に図示しない専用チューブを繋がなければならず、このチューブ接続作業がユーザにとって煩雑であった。
【００１１】
このチューブ接続に伴うユーザの煩雑さを解消するため、各内視鏡管路の各口金に、流体供給ユニットの各供給ノズルを自動的に装着することができる内視鏡洗浄消毒装置も提案されているが、内視鏡を洗浄槽内に位置精度良く確実に配設することが困難であった。
【００１２】
内視鏡を洗浄槽内に位置精度良く配設するために、内視鏡の操作部及び挿入部の外形形状及び長さ寸法に合わせて形作った凹部を備える専用のトレーに内視鏡を収容して洗浄消毒することが考えられる。しかし、専用のトレーを用いる場合、使用される内視鏡の種類が多数ある医療施設では、トレーの種類も多くなり、トレーと内視鏡との組み合わせを誤ることによって、内視鏡を洗浄槽内に位置精度良く配設することができなくなる。
【００１３】
本発明は上記事情に鑑みてなされたものであり、トレーに収容した内視鏡を洗浄槽内に精度良く配設して、自動で洗浄消毒工程を実行する内視鏡洗浄消毒装置を提供することを目的にしている。
【課題を解決するための手段】
【００１４】
本発明の内視鏡洗浄消毒装置は、内視鏡管路を備える挿入部の形態、又は前記内視鏡管路に連通する口金を備える操作部の形態が異なる複数種類の内視鏡と、前記複数の内視鏡のうち、１つの内視鏡と対をなす挿入部及び操作部が収容される内視鏡収容部を備え、洗浄消毒装置本体に設けられた洗浄槽に配設される複数種類のトレーと、前記内視鏡及び前記トレーに設けられ、前記複数種類の内視鏡の中から使用された内視鏡と、前記複数種類のトレーの中から選択されたトレーとの組み合わせが、所定の組み合わせであるか否かを識別する識別手段とを具備している。
【００１５】
この構成によれば、使用済みの内視鏡をトレーに収容する際、識別手段によって、トレーと内視鏡との組み合わが正しい場合、内視鏡がトレーに収容されるので、その後、内視鏡収容部に内視鏡を収容したトレーを洗浄槽に配設することによって、内視鏡が洗浄槽の所定位置に配置される。
【発明の効果】
【００１６】
本発明によれば、トレーに収容した内視鏡を洗浄槽内に精度良く配設して、自動で洗浄消毒工程を実行する内視鏡洗浄消毒装置を実現できる。
【発明を実施するための最良の形態】
【００１７】
以下、図面を参照して本発明の実施の形態を説明する。  
図１乃至図５は本発明の第１実施形態に係り、図１は内視鏡洗浄消毒システムを説明する図、図２は内視鏡と、その内視鏡と対の内視鏡収容部を備えるトレーとの組み合わせを説明する図、図３は図２のトレーと図２とは別の内視鏡との組み合わせを説明する図、図４は図２に示した内視鏡をトレーに収容した状態を示す図、図５は図３に示した内視鏡がトレーへの収容を阻止された状態を示す図である。
【００１８】
図１に示す内視鏡洗浄消毒装置１は、使用済みの内視鏡２０等を洗浄、消毒するための装置であり、洗浄消毒装置本体（以下、装置本体と略記する）２とトップカバー３とを備えて構成されている。装置本体２は、内視鏡２０を洗浄するための洗浄槽４を備えている。トップカバー３は、例えば図示しない蝶番を介して装置本体２に開閉自在に設けられている。洗浄槽４の開口は、トップカバー３によって閉塞される構成である。装置本体２の洗浄槽４内には内視鏡２０を収容したトレー１０が着脱自在に配設される。内視鏡洗浄消毒装置１、トレー１０、及び内視鏡２０で内視鏡洗浄消毒システムが構成される。
【００１９】
図１に示すように、装置本体２の洗浄槽４内の周壁には、内視鏡２０が備える各内視鏡管路内に洗浄液、消毒液、すすぎ水、アルコール等の液体またはエア等の気体（以下、流体と称す）を、自動的に供給する流体供給ユニット３１及び流体供給ノズル３２が設けられている。
【００２０】
本実施形態において流体供給ユニット３１は、内視鏡２０が具備する内視鏡管路のうち、送気管路、送水管路、及び前方送水管路の基端に設けられた口金（図２等の符号２９参照）にそれぞれ接続される複数のノズル３３を備えている。一方、流体供給ノズル３２は、内視鏡管路のうち、吸引管路を兼ねた処置具挿通管路の基端に設けられた処置具用口金（図２等の符号２８参照）に接続される。
【００２１】
なお、本実施形態において、流体供給ユニット３１及び流体供給ノズル３２は、図示しないアクチュエータによって進退移動される。流体供給ユニット３１及び流体供給ノズル３２は、前進されたとき、所定の位置に配置されているそれぞれの口金２８、２９に接続される。流体供給ユニット３１は、前進されたとき、洗浄槽４の周壁から突出してトレー１０内に導入されるように構成されている。
【００２２】
内視鏡洗浄消毒装置１で洗浄される内視鏡２０は、細長な挿入部２１と、挿入部２１の基端側に連設された操作部２２とにより主要部が構成されている。操作部２２の側部には処置具挿通管路用の処置具用口金２８が設けられ、操作部２２の例えば基端側端部には送気管路、送水管路、及び前方送水管路用の口金２９が設けられている。内視鏡検査中においては、送気管路の口金、送水管路の口金、前方送水管路の口金には内視鏡２０に空気等の気体、或いは水等の液体を供給する送気チューブ（不図示）、送水チューブ（不図示）がそれぞれ接続され、処置具挿通管路の処置具用口金２８には吸引チューブ（不図示）が接続されるようになっている。
【００２３】
内視鏡２０は、口腔から挿入されるタイプ、鼻腔から挿入されるタイプ、或いは肛門から挿入されるタイプなど、タイプ毎に、挿入部２１の長さ寸法、外形寸法、又は操作部２２の外形形状等、形態が異なっている。即ち、内視鏡２０は、挿入部の長さの違い、操作部の形状の違いによって複数種類になる。なお、操作部の外形形状は、術者の手の大きさの違い、或いは内視鏡管路の数量等によって変化する。
【００２４】
例えば、図２に示す内視鏡２０Ａと図３に示す内視鏡２０Ｂとでは挿入部２１Ａの径寸法と挿入部２１Ｂの径寸法は例えば同寸法であり、長さ寸法が異なっている。また、操作部２２Ａ、２２Ｂの外形形状も同形状である。本実施形態においては、内視鏡２０Ｂの挿入部２１Ｂの長さ寸法が内視鏡２０Ａの挿入部２１Ａの長さ寸法よりも長い。
【００２５】
内視鏡２０Ａには識別手段として操作部２２Ａの例えば処置具用口金２８の近傍に例えば緑色に着色された内視鏡側識別部２３Ａが設けられている。一方、内視鏡２０Ｂには識別手段として操作部２２Ｂの略同位置に例えば赤色に着色された内視鏡側識別部２３Ｂ（不図示）が設けられている。
【００２６】
また、本実施形態の内視鏡２０Ａ、２０Ｂにおいては、操作部２２Ａ、２２Ｂに内視鏡側識別部２３Ａ、２３Ｂに加えて、位置決め手段と識別手段とを兼ねる係止部として切り欠き孔２４Ａ、２４Ｂが設けられている。図３に示すように破線に示す切り欠き孔２４Ａと実線に示す切り欠き孔２４Ｂとでは、操作部２２Ｂの異なる位置に形成されている。
【００２７】
つまり、切り欠き孔２４Ａ、２４Ｂは、挿入部２１Ａ、２１Ｂの長さ寸法の違いよってそれぞれ所定の位置に設けられている。本実施形態においては、係止部を切り欠き孔としているが、係止部は切り欠き孔に限定されるものではなく係止部を貫通孔、或いは穴で構成するようにしてもよい。即ち、挿入部の長さ寸法の違いによって、係止部の形状、又は位置が変化する。
【００２８】
なお、内視鏡２０は、挿入部の長さ寸法の違い径寸法の違い、或いは操作部の大きさ、形状によって形態が異なる。そのため、内視鏡２０は、種類毎に、操作部にそれぞれ例えば図示しない黒色の識別部、青色の識別部、黄色の識別部等を設けて、内視鏡の識別を行えるようになっている。例えば、黒色の識別部を有する内視鏡は、挿入部の径寸法が内視鏡２０Ａ、２０Ｂより太径で長さ寸法がＬ１、青色の識別部を有する内視鏡は、挿入部の径寸法が黒色の識別を備える内視鏡と同径で長さ寸法がＬ２、黄色の識別部を有する内視鏡は、挿入部の径寸法が内視鏡２０Ａ、２０Ｂと径寸法、長さ寸法は同じで、操作部の外形形状が操作部２２Ａに比べて小型である。
【００２９】
また、内視鏡側識別部は、緑色、赤色、黒色、青色、黄色…等の色に限定されるものではなく、図形、記号等のシンボルマークであってもよい。さらに、内視鏡２０Ｃ、２０Ｄ、２０Ｅ、…の操作部には、位置決め手段と識別手段とを兼ねる係止部として、切り欠き孔、貫通孔、或いは穴が設けられている。
【００３０】
洗浄槽４に配設されるトレー１０は、内視鏡２０Ａを収容するための内視鏡収容部を備えるトレー１０Ａ、内視鏡２０Ｂを収容するための内視鏡収容部を備えるトレー１０Ｂ（不図示）として構成される。即ち、トレー１０Ａと内視鏡２０Ａとは対をなし、トレー１０Ｂと内視鏡２０Ｂとは対をなしている。トレー１０Ａ、１０Ｂは識別手段を備え、トレー１０Ａは緑色に着色され、トレー１０Ｂは赤色に着色されている。即ち、本実施形態においてトレー１０Ａはトレー側識別部を兼ねている。なお、内視鏡２０Ｃ、２０Ｄ、２０Ｅ、…が収容される内視鏡収容部を備えるトレー１０Ｃ、１０Ｄ、１０Ｅ、…は、黒色、青色、黄色…等の色で着色されている。
【００３１】
トレー１０Ａ、１０Ｂ、…は、洗浄槽４に対して所定の位置に配設される。すなわち、トレー１０Ａ、１０Ｂ、…は、種類の違いにかかわらず、全てのトレーの外形形状は洗浄槽４の周壁に倣って形成されている。加えて、トレー１０Ａ、１０Ｂ、…の底面には、トレー１０Ａ、１０Ｂ、…の配置位置を位置決めする図示しない溝が形成されている。トレー１０Ａ、１０Ｂに形成されている溝には、洗浄槽４の図示しない底面に突出して設けられた位置決め突起が係入配置されるようになっている。
【００３２】
トレー１０Ａ、１０Ｂ、…は、同形状の底面１１と壁面１２ａ、１２ｂ、１２ｃとを備えて構成されている。壁面１２ａ、１２ｂ、１２ｃは、底面１１から所定寸法、立設している。外形壁面１２ａは、底面１１の外側に設けられた外形壁面であり、壁面１２ｂは挿入部収容部１３を構成する挿入部収容壁面であり、壁面１２ｃは操作部収容部１４を構成する操作部収容壁面である。
【００３３】
操作部収容部１４を構成する外形壁面１２ａの一部にはトレーの種類に関わらず、同位置に同形状のユニット挿通部１５及びノズル挿通部１６が形成されている。このことによって、トレー１０Ａ、１０Ｂ、…が洗浄槽４内に所定の状態で配設されたとき、流体供給ユニット３１はユニット挿通部１５を介してトレー１０の操作部収容部１４内への移動が可能になり、流体供給ノズル３２もノズル挿通部１６を介してトレー１０の操作部収容部１４内への移動が可能になる。
【００３４】
トレー１０Ａ、１０Ｂ、…は、収容される内視鏡２０と対の内視鏡収容部を備え、その内視鏡収容部は前記挿入部収容部１３と前記操作部収容部１４とで構成される。挿入部２１Ａ、２１Ｂ、…は、図１に示すように挿入部収容部１３に巻回して収容される。挿入部収容部１３は、外形壁面１２ａと挿入部収容壁面１２ｂとによって略円形に形作られている。円形形状は、トレー１０Ａ、１０Ｂ、…の種類に関わらず同一形状である。操作部収容部１４は、外形壁面１２ａと操作部収容壁面１２ｃとによって構成され、トレー１０Ａ、１０Ｂ、…の種類に関わらず同一形状で形作られている。  
なお、符号１７はその他収容室であり、内視鏡検査で使用されたリユース部品が収容される。また、挿入部収容部１３の略中央には、洗浄液、消毒液、すすぎ水、アルコール等の液体が排出される排液口１８が設けられている。これらその他収容室１７、排液口１８もトレー１０Ａ、１０Ｂ、…の種類に関わらず同位置に同形状で設けられている。
【００３５】
図２、図３に示すようにトレー１０Ａは、挿入部収容部１３の底面に複数の挿入部位置決め突起５を設け、操作部収容部１４の底面１１に複数の操作部位置決め突起６及び１つの係入凸部７Ａを設けている。係入凸部７Ａの少なくとも一部は、隣り合う操作部位置決め突起６同士を結んだ線分によって形成される操作部外形形状の内側に位置している。
【００３６】
そして、トレー１０Ａと、図示しないトレー１０Ｂとにおいて、挿入部収容部１３の底面１１に設けられた挿入部位置決め突起５及び操作部収容部１４の底面１１に設けられた操作部位置決め突起６は、同位置に同形状で形成されている。
【００３７】
挿入部収容部１３の底面に設けられている複数の挿入部位置決め突起５は、挿入部２１Ａ、２１Ｂの配置位置を位置決めするためのものであり、挿入部２１Ａ、２１Ｂの径寸法（例えばφＡとする）を考慮して配設されている。そして、径寸法がφＡの挿入部であれば長さ寸法に関わらず、トレー１０Ａの挿入部収容部１３に設けられている複数の挿入部位置決め突起５に沿わせて挿入部２１Ａ、２１Ｂを巻回して収容することが可能である。このとき、挿入部２１Ａと挿入部２１Ｂとでは、挿入部収容部１３内において、巻回数と、挿入部先端の配置位置とが異なる。
【００３８】
なお、トレー１０Ａの操作部収容部１４の底面１１に設けられている複数の操作部位置決め突起６は、操作部２２Ａ、２２Ｂの外形形状及び配置位置を考量して配設されている。したがって、万一、トレー１０Ａに、係入凸部７Ａが設けられていない場合、内視鏡２０Ａ、２０Ｂの操作部２２Ａ、２２Ｂはトレー１０Ａの操作部収容部１４に収容可能である。
【００３９】
操作部収容部１４の底面に設けられる係入凸部（以下、凸部と略記する）７は、トレー１０Ａと図示しないトレー１０Ｂとで、それぞれ異なる位置に設けられる。これは、トレー１０Ａに設けられている係入凸部７Ａが操作部２２Ａに設けられている切り欠き孔２４Ａの位置を考慮して形成されているためである。そして、操作部２２Ａの切り欠き孔２４Ａに係入凸部７Ａを係入させることによって、操作部２２Ａがトレー１０Ａの操作部位置決め突起６内に位置決めされた状態で収容される。
【００４０】
一方、トレー１０Ｂに設けられている凸部７Ｂ（（不図示）は、操作部２２Ｂに設けられた切り欠き孔２４Ｂの位置を考慮して形成されている。操作部２２Ｂの切り欠き孔２４Ｂに凸部７Ｂを係入させることによって、操作部２２Ｂがトレー１０Ｂの操作部位置決め突起６内に位置決めされて収容されるようになっている。
【００４１】
なお、係入凸部７Ａ、７Ｂ、…の先端側は、挿入性を考慮してテーパー形状に形成されている。
【００４２】
例えば、使用済みの内視鏡２０Ａを何れかのトレーに収容する場合、例えば図２に示すように内視鏡２０Ａの備える緑色に着色された内視鏡側識別部２３Ａと同色のトレー１０Ａを選択した場合、内視鏡２０Ａの挿入部２１Ａは、トレー１０Ａの挿入部位置決め突起５によって位置決めされて挿入部収容部１３に所定の巻回状態で収容される。一方、内視鏡２０Ａの操作部２２Ａは、図４に示すように係入凸部７Ａを操作部２２Ａの切り欠き孔２４Ａに係入させた状態で、操作部収容部１４に設けられた操作部位置決め突起６内に配置される。このことによって、内視鏡２０Ａは、所定の状態でトレー内に収容される。ここで、所定の巻回状態とは、予め設定した位置に挿入部２１Ａの先端が位置することである。
【００４３】
これに対して、赤色に着色された内視鏡側識別部２３Ｂを備える使用済みの内視鏡２０Ｂを何れかのトレーに収容する場合に、例えば図３に示すように誤って緑色に着色された前記トレー１０Ａを選択した場合、挿入部２１Ｂは挿入部収容部１３内に収容されるが、図５に示すように操作部２２Ｂの操作部収容部１４への収容は阻止される。これは、操作部収容部１４に設けられた操作部位置決め突起６内に操作部２２Ｂは配置させようとした場合、操作部収容部１４に設けられた係入凸部７Ａが操作部２２Ｂに当接するため、或いは、係入凸部７Ａを操作部２２Ｂの切り欠き孔２４Ｂに係入させた状態で、操作部２２Ｂを前記操作部位置決め突起６内に配置させようとしたとき、操作部２２Ｂが操作部収容部１４を構成する外形壁面１２ａ、操作部収容壁面１２ｃに当接するためである。
【００４４】
なお、径寸法がφＡより小径な挿入部を有する図示しない内視鏡を前記トレー１０Ａに収容しようとした場合には、上述の内視鏡２０Ｂをトレー１０Ａに収容しようとした場合と略同様に、径寸法がφＡより細径な挿入部の挿入部収容部１３内への収容は可能であるが、図示しない操作部を操作部収容部１４に収容することが係止部と係入凸部との位置関係によって阻止される。これに対して、径寸法がφＡより大径な挿入部を有する図示しない内視鏡を前記トレー１０Ａに収容しようとした場合には、挿入部位置決め突起５によって大径な挿入部が浮き上がった状態になって挿入部の挿入部収容部１３内への収容が困難になると共に、上述と同様に係止部と係入凸部との位置関係によって操作部の操作部収容部１４への収容が阻止される。
【００４５】
このように、内視鏡と、内視鏡が収容される内視鏡収容部を備えるトレーとを対に構成し、内視鏡の例えば操作部に設けられる内視鏡側識別部の色と、洗浄槽に配設されるトレーの色とを同色にすることによって、洗浄する内視鏡と、洗浄する内視鏡を収容するトレーとの組み合わせを誤ることを防止することができる。
【００４６】
また、内視鏡と、内視鏡が収容される内視鏡収容部を備えるトレーとを対に構成し、内視鏡の例えば操作部に係止部を設け、洗浄槽に配設されるトレーの操作部収容部に設けられてた操作部位置決め突起が形成する操作部外形保持部の内側に係入凸部を設けることによって、洗浄する内視鏡の操作部を、内視鏡を収容するトレーが備える内視鏡収容部内に一義的に収容することができる。
【００４７】
これら内視鏡及びトレーに、係止部及び係入凸部を設けると共に、色による識別部を設けることによって、使用後の内視鏡を所定のトレーの内視鏡収容部に素早く、且つ確実に収容することができる。
【００４８】
そして、内視鏡収容部に内視鏡を収容した状態のトレーを洗浄槽に配設することによって、内視鏡の操作部に設けられている処置具用口金及び複数の管路用口金を、洗浄槽に設けられている流体供給ノズル及び流体供給ユニットの各ノズルに対して所定の状態に対峙させることができる。このことによって、各ノズルを口金に装着する装着作業を自動で行った後、洗浄消毒工程を自動で実行することが可能な内視鏡洗浄消毒装置を実現することができる。
【００４９】
さらに、本実施形態においては、トレーを構成する挿入部収容部及び操作部収容部に設ける突起は、操作部の外形が同形状で且つ挿入部の径寸法が同径で挿入部の長さ寸法だけが異なる内視鏡において、同形状で同位置に設けられている。そして、トレーに設けられる係入凸部の位置及び形状を、挿入部の長さ寸法の違いによって変化される、操作部に設けられた係止部の位置又は形状に合わせて変化させている。このことによって、挿入部の径寸法が同径で長さ寸法が異なる挿入部を備える内視鏡を収容する内視鏡収容部を対で備えるトレーを、１つの金型で、係入凸部を形成する部品だけを交換して、安価に成形することができる。
【００５０】
図６乃至図９は本発明の第２実施形態に係り、図６は操作部及び径寸法が同径で長さ寸法が異なる挿入部を備える複数種類の内視鏡と、内視鏡が収容されるトレーとを示す図、図７は検知用貫通孔を備えるトレーの構成を説明する図、図８は内視鏡収容部に内視鏡が収容されたトレーを洗浄槽に配設した状態を示す図、図９は装置本体の有する洗浄槽の底部に設けたセンサと洗浄槽に配設されたトレーに収容された内視鏡との関係を説明する模式図である。
【００５１】
図６に示すように本実施形態のトレー１０ＡＢには、径寸法が同径（例えばφＡ）で長さ寸法が異なる挿入部を備える例えば３種類の内視鏡２０Ａ１、２０Ｂ１、２０Ｃ１が収容される。このため、トレー１０ＡＢは、緑色に着色され、内視鏡２０Ａ１、２０Ｂ１、２０Ｃ１には緑色に着色された内視鏡側識別部２３Ａが設けられている。
【００５２】
内視鏡２０Ａ１は、前記図２に示した内視鏡２０Ａと同様の内視鏡である。内視鏡２０Ｂ１は、前記図３に示した内視鏡２０Ｂの操作部２２Ｂの代わりに内視鏡２０Ａ１と同様の操作部２２Ａを備える内視鏡である。さらに、内視鏡２０Ｃ１は、内視鏡２０Ｂ１の挿入部２１Ｂより長い挿入部２１Ｃを有し、内視鏡２０Ａ１と同様の操作部２２Ａを備える内視鏡である。即ち、本実施形態の３種類の内視鏡２０Ａ１、２０Ｂ１、２０Ｃ１は、操作部２２Ａを備え、それぞれ長さ寸法が異なる挿入部２１Ａ、２１Ｂ、２１Ｃを備えている。
【００５３】
本実施形態のトレー１０ＡＢは、図６、図７に示すように挿入部収容部１３Ａと操作部収容部１４Ａとを備えている。操作部収容部１４Ａには、操作部検知用貫通孔（以下、操作部検知孔と記載する）８ａが設けられている。挿入部収容部１３Ａには挿入部先端位置検知用貫通孔８ｂ、８ｃ、８ｄが設けられている。
【００５４】
第１挿入部先端位置検知用貫通孔（以下、第１挿入部検知孔と略記する）８ｂは、内視鏡２０Ａ１の挿入部２１Ａが挿入部収容部１３Ａに所定の巻回状態で収容されたときに、挿入部２１Ａの先端部が配置される位置近傍に形成されている。第２挿入部先端位置検知用貫通孔（以下、第２挿入部検知孔と略記する）８ｃは、内視鏡２０Ｂ１の挿入部２１Ｂが挿入部収容部１３Ａに所定の巻回状態で収容されたときに、挿入部２１Ｂの先端部が配置される位置近傍に形成されている。第３挿入部先端位置検知用貫通孔（以下、第３挿入部検知孔と略記する）８ｄは、内視鏡２０Ｃ１の挿入部２１Ｃが挿入部収容部１３Ａに所定の巻回状態で収容されたときに、挿入部２１Ｃの先端部が配置される位置近傍に形成されている。その他のトレー１０ＡＢの構成は前記第１実施形態のトレー１０と同様であり、同部材には同符号を付して説明を省略する。
【００５５】
ここで、内視鏡２０Ａ１、２０Ｂ１、２０Ｃ１をトレー１０ＡＢに収容したときの状態を説明する。  
トレー１０ＡＢの内視鏡収容部に内視鏡２０Ａ１を所定の状態で収容すると、図８に示すように操作部収容部１４Ａに内視鏡２０Ａ１の操作部２２Ａが収容される。この収容状態において、操作部検知孔８ａは、操作部２２Ａによって塞がれる。一方、挿入部収容部１３Ａには、挿入部２１Ａが所定の巻回状態で収容される。この収容状態において、第１挿入部検知孔８ｂは、挿入部２１Ａの先端側部分によって塞がれるが、第２挿入部検知孔８ｃ及び第３挿入部検知孔８ｄは開放状態である。
【００５６】
トレー１０ＡＢの内視鏡収容部に内視鏡２０Ｂ１を所定の状態で収容すると、操作部収容部１４Ａには内視鏡２０Ｂ１の操作部２２Ａが収容される。すると、操作部検知孔８ａが操作部２２Ａによって塞がれる。一方、挿入部収容部１３Ａには、挿入部２１Ｂが所定の巻回状態で収容される。この収容状態においては、第１挿入部検知孔８ｂが挿入部２１Ｂの中途部によって塞がれ、第２挿入部検知孔８ｃは挿入部２１Ｂの先端側部分によって塞がれる。しかし、第３挿入部検知孔８ｂは開放状態である。
【００５７】
トレー１０ＡＢの内視鏡収容部に内視鏡２０Ｃ１を所定の状態で収容すると、操作部収容部１４Ａには内視鏡２０Ｃ１の操作部２２Ａが収容される。すると、操作部検知孔８ａが操作部２２Ａによって塞がれる。一方、挿入部収容部１３Ａには、挿入部２１Ｃが所定の巻回状態で収容される。この収容状態において、第１挿入部検知孔８ｂ及び第２挿入部検知孔８ｃが挿入部２１Ｃの中途部によって塞がれ、第３挿入部検知孔８ｄは挿入部２１Ｃの先端側部分によって塞がれる。
【００５８】
図９を参照して装置本体に設けられるセンサについて説明する。  
図９に示すように本実施形態の装置本体２Ａに備えられている洗浄槽４の底部４ａには、例えば複数の超音波振動子４ｂ、４ｃと、内視鏡配設位置判定手段である例えば複数の光センサ９ａ〜９ｅ（一部不図示）とが設けられている。本実施形態の光センサ９ａ〜９ｅは、センサから出射された光線が、目的部位で反射して再びセンサに戻ってくるか否かを検出するセンサである。
【００５９】
操作部位置検知用センサ９ａは、洗浄槽４に所定の状態で配設されているトレー１０ＡＢの操作部検知孔８ａに対向する位置に設けられている。したがって、トレー１０ＡＢの内視鏡収容部に内視鏡２０Ａ１、２０Ｂ１、２０Ｃ１の何れか１つが収容されていると、操作部位置検知用センサ９ａから出射される検知光は、トレー１０ＡＢの操作部検知孔８ａに向かう。検知光は、操作部検知孔８ａが操作部２２Ａで塞がれている場合、操作部２２Ａによって反射され、その反射光を操作部位置検知用センサ９ａが検知する。反射光を検知した操作部位置検知用センサ９ａは、図示しない制御部に検知信号を出力する。
【００６０】
第１挿入部検知光センサ９ｂは、洗浄槽４に所定の状態で配設されているトレー１０ＡＢの第１挿入部検知孔８ｂに対向する位置に設けられている。第２挿入部検知光センサ９ｃは、洗浄槽４に所定の状態で配設されているトレー１０ＡＢの第２挿入部検知孔８ｃに対向する位置に設けられている。第３挿入部検知光センサ９ｄは、洗浄槽４に所定の状態で配設されているトレー１０ＡＢの第３挿入部検知孔８ｄに対向する位置に設けられている。トレー位置検知センサ９ｅは、洗浄槽４に所定の状態で配設されているトレー１０ＡＢの例えば前記その他収容室１７の底面に設けられた反射面（図９の符号１０ｃ参照）に対向するように設けられている。
【００６１】
第１挿入部検知光センサ９ｂから出射される検知光は、トレー１０ＡＢの第１挿入部検知孔８ｂに向かい、第１挿入部検知孔８ｂが挿入部２１Ａ、２１Ｂ、２１Ｃによって塞がれているとき、挿入部２１Ａ、２１Ｂ、２１Ｃによって反射される。操作部位置検知用センサ９ａは、反射光を検知すると、図示しない制御部に検知信号を出力する。
【００６２】
同様に、第２挿入部検知光センサ９ｃは、検出光をトレー１０ＡＢの第２挿入部検知孔８ｃに向けて出射し、第２挿入部検知孔８ｃが挿入部２１Ｂ、２１Ｃによって塞がれているとき、挿入部２１Ｂ、２１Ｃで反射された反射光を検知して、図示しない制御部に検知信号を出力する。また、第３挿入部検知光センサ９ｄは、検出光をトレー１０ＡＢの第３挿入部検知孔８ｄに向けて出射し、第３挿入部検知孔８ｄが挿入部２１Ｃによって塞がれているとき、挿入部２１Ｃで反射された反射光を検知して、図示しない制御部に検知信号を出力する。
【００６３】
トレー位置検知センサ９ｅは、検出光をトレー１０ＡＢのその他収容室１７の底面の反射面１０ｃに向けて出射し、その他収容室１７の底面がトレー位置検知センサ９ｅに対向して配置されているとき、即ち、トレー１０ＡＢが所定の状態で配設されているとき、その他収容室１７の反射面１０ｃで反射された反射光を検知して、図示しない制御部に検知信号を出力する。
【００６４】
上述のように構成した内視鏡洗浄消毒システムの作用を説明する。  
トレー１０ＡＢの内視鏡収容部に内視鏡２０Ａ１を収容して内視鏡２０Ａ１の洗浄消毒を行う場合について説明する。
【００６５】
まず、ユーザーは、操作部収容部１４Ａに内視鏡２０Ａ１の操作部２２Ａを収容し、挿入部収容部１３Ａに内視鏡２０Ａ１の挿入部２１Ａを収容する。  
次に、ユーザーは、内視鏡２０Ａ１が内視鏡収容部に収容されたトレー１０ＡＢを洗浄槽４に配設する。その後、ユーザーは、トップカバー３を閉じ、図示しない処理開始スイッチをＯＮ操作する。
【００６６】
すると、制御部は、光センサ９ａ〜９ｅから検出光を出射させる。このとき、トレー１０ＡＢが洗浄槽４に所定の状態で配設され、且つ内視鏡２０Ａ１が内視鏡収容部に所定の状態で収容されているとき、図９に示すように光センサ９ａ、９ｂ、９ｅが反射光を検知して、制御部に検知信号を出力する。それら検知信号を受けた制御部は、流体供給ユニット３１及び流体供給ノズル３２を前進される制御を行い、流体供給ユニット３１に設けられているノズルが口金２９に接続され、且つ流体供給ノズル３２が処置具用口金２８に接続されたことを確認したなら洗浄工程、消毒工程を開始させる。
【００６７】
一方、光センサ９ａ、９ｂ、９ｅの何れかから制御部に検知信号が出力されなかった場合、又はセンサ９ｃ、９ｄのどちらかから制御部に検知信号が出力された場合、制御部は、図示しない装置本体２Ａに設けられているブザーを鳴らして、ユーザーに内視鏡２０Ａ１が内視鏡収容部に所定の状態で収容されていない旨を告知する。
【００６８】
なお、トレー１０ＡＢの内視鏡収容部に内視鏡２０Ｂ１を収容して内視鏡２０Ｂ１の洗浄消毒を行う場合、ユーザーは、操作部収容部１４Ａに操作部２２Ａを収容し、挿入部収容部１３Ａに挿入部２１Ｂを収容し、そのトレー１０ＡＢを洗浄槽４に配設して処理開始スイッチをＯＮ操作する。
【００６９】
このとき、トレー１０ＡＢが洗浄槽４に所定の状態で配設され、且つ内視鏡２０Ｂ１が内視鏡収容部に所定の状態で収容されていた場合、光センサ９ａ、９ｂ、９ｃ、９ｅから制御部に検知信号が出力され、その検知信号を受けた制御部は、流体供給ユニット３１及び流体供給ノズル３２を前進される制御を行い、ノズルと口金２８、２９との接続を確認した後、洗浄、消毒工程を開始させる。一方、光センサ９ａ、９ｂ、９ｃ、９ｅの何れかから制御部に検知信号が出力されなかった場合、又はセンサ９ｄから制御部に検知信号が出力された場合、制御部は、ブザーを鳴らして、ユーザーに内視鏡２０Ｂ１が内視鏡収容部に所定の状態で収容されていない旨を告知する。
【００７０】
また、トレー１０ＡＢの内視鏡収容部に内視鏡２０Ｃ１を収容して内視鏡２０Ｃ１の洗浄消毒を行う場合、ユーザーは、操作部収容部１４Ａに操作部２２Ａを収容し、挿入部収容部１３Ａに挿入部２１Ｃを収容し、そのトレー１０ＡＢを洗浄槽４に配設して処理開始スイッチをＯＮ操作する。
【００７１】
このとき、トレー１０ＡＢが洗浄槽４に所定の状態で配設され、且つ内視鏡２０Ｃ１が内視鏡収容部に所定の状態で収容されていた場合、光センサ９ａ、９ｂ、９ｃ、９ｄ、９ｅから制御部に検知信号が出力され、その検知信号を受けた制御部は、流体供給ユニット３１及び流体供給ノズル３２を前進される制御を行い、ノズルと口金２８、２９との接続を確認した後、洗浄、消毒工程を開始させる。一方、光センサ９ａ、９ｂ、９ｃ、９ｄ、９ｅの何れかから制御部に検知信号が出力されなかった場合、制御部は、ブザーを鳴らして、ユーザーに内視鏡２０Ｃ１が内視鏡収容部に所定の状態で収容されていない旨を告知する。
【００７２】
このように、挿入部装置本体に内視鏡配設位置判定手段として、内視鏡の操作部が操作部収容部に配設されているか否かを検知する操作部位置検知用センサと、内視鏡の挿入部の少なくとも先端部が挿入部収容部の所定位置に収容されているか否かを確認する少なくとも１つの挿入部検知光センサと、トレーが洗浄槽内に所定の状態で配設されたか否かを検知するトレー位置検知センサとを設ける。このことによって、操作部収容部に操作部を収容し、且つ挿入部収容部に挿入部を収容したトレーを洗浄槽に配設した後、それら複数のセンサから検出光を出射させて、内視鏡収容部に収容されている内視鏡が洗浄槽の所定の位置に配設されているか否かを判定することができる。
【００７３】
また、挿入部検知光センサを洗浄消毒する内視鏡の挿入部の長さに対応させて、複数配設することによって、１つのトレーの挿入部収容部に収容された長さの異なる挿入部の収容状態の確認を行うことができる。このことによって、１つのトレーに複数の内視鏡を収容して洗浄消毒を行えるので、トレーの種類が減らせる。
【００７４】
なお、挿入部検知光センサの数は、３つ以上であっても、３つ以下であってもよい。  
また、上述した実施形態においては、洗浄槽４の底部４ａに、内視鏡配設位置判定手段として複数の光センサを配設するとしている。しかし、内視鏡配設位置判定手段は複数の光センサに限定されるものではなく、例えば、図１０に示すように接触することによって、操作部２２Ａ、或いは挿入部２１Ａ、２１Ｂ、２１Ｃ、或いはトレー１０ＡＢの有無を検知する複数の検出ピン４１ａ〜４１ｅであっても同様の作用及び効果を得ることができる。この構成の場合、トレー１０ＡＢには検知孔８ａ〜８ｄの代わりに検出ピン４１ａ〜４１ｄが通過する挿通孔８ａ１〜８ｄ１が形成される。図１０は装置本体の有する洗浄槽の底部に設けた検出ピンとトレーに収容された内視鏡との関係を説明する模式図である。
【００７５】
さらに、洗浄槽４の底部４ａに、内視鏡配設位置判定手段として上述した光センサ９ａ〜９ｅ、検出ピン４１ａ〜４１ｅを設ける代わりに、図１１に示す磁気センサ４２ａ〜４２ｅを設けるようにしても同様の作用及び効果を得ることができる。この構成においては、内視鏡２０Ａ１、２０Ｂ１、２０Ｃ１の操作部２２Ａ、挿入部２１Ａ、２１Ｂ、２１Ｃの少なくとも先端部及び中途の所定部に磁石４３ａ〜４３ｅを設ける。また、磁気センサ４２ａ〜４２ｅは、磁石４３ａ〜４３ｅの磁力をトレー越しに検知することが可能であるので、本実施形態においてはトレー１０ＡＢの孔８ａ〜８ｅ及び孔８ａ１〜８ｅ１が不要になる。なお、内視鏡２０Ａ１、２０Ｂ１、２０Ｃ１の操作部２２Ａ、挿入部２１Ａ、２１Ｂ、２１Ｃの少なくとも先端部、及びトレー１０ＡＢの所定部に磁石の代わりにコイルを設けるようにしてもよい。図１１は装置本体の有する洗浄槽の底部に設けた磁気センサとトレーに収容された内視鏡との関係を説明する模式図である。
【００７６】
さらにまた、上述した光センサ９ａ〜９ｅ、検出ピン４１ａ〜４１ｅ、或いは磁気センサ４２ａ〜４２ｅを洗浄槽４の底部４ａに設ける代わりに、トップカバー３の洗浄槽側面に設けるようにしても同様の作用及び効果を得ることができる。
【００７７】
また、図１２に示すように前記第１実施形態の例えばトレー１０ＡにＲＦＩＤ４４を設け、洗浄槽４の底部４ａにＲＦＩＤリーダー４５を配設する。図１２は内視鏡と対の内視鏡収容部を備えるトレーにＲＦＩＤを設けた内視鏡洗浄消毒装置を説明する模式図である。
【００７８】
このことによって、内視鏡と対の内視鏡収容部に内視鏡２０Ａを収容したトレー１０Ａが洗浄槽４に配設されたとき、トレー１０Ａ内に収容されている内視鏡２０Ａが洗浄槽４に対して所定の位置に配設されているか否かを判定することができる。
【００７９】
ところで、内視鏡洗浄消毒装置で内視鏡の洗浄消毒を行う際、処置具挿通管路を洗浄する洗浄ブラシを内蔵した洗浄ブラシユニットが装置本体に備えられたブラシユニット収容部に配設される。
【００８０】
洗浄ブラシユニットには、細長なブラシ挿入部の先端側にブラシ部を備えた洗浄ブラシが巻回状態で収納されている。洗浄ブラシユニットに収納されている洗浄ブラシのブラシ挿入部の長さは、一般に、最も長い挿入部を有する内視鏡の洗浄消毒を行えるように設定されている。そのため、前記洗浄ブラシユニットで、最も短い挿入部を有する内視鏡の洗浄消毒を行った場合、ブラシ挿入部の一部を使用しただけで、残りの部分が未使用状態のまま廃棄される。この無駄を無くすため、近年、内視鏡を内視鏡洗浄消毒装置で洗浄消毒する場合、挿入部の長さ寸法に対のブラシ挿入部を巻回収納した洗浄ブラシユニットが使用される。
【００８１】
しかしながら、洗浄する内視鏡と対のブラシ挿入部を収納した洗浄ブラシユニットとを用意したつもりでも、何らかの手違いによって、内視鏡と洗浄ブラシユニットとの組み合わせが不適切になるおそれがある。洗浄ブラシユニットのブラシ挿入部の長さが、洗浄する内視鏡の挿入部の長さより長い場合、上述と同様に未使用状態のまま廃棄される不具合が生じる。これに対して、洗浄ブラシユニットのブラシ挿入部の長さが、洗浄する内視鏡の挿入部の長さより短い、或いは同寸法であった場合、内視鏡管路内に洗い残し部分が発生するおそれがある。そのため、内視鏡洗浄消毒装置において、ブラシ挿入部の長さがそれぞれの内視鏡の挿入部の長さ寸法に対応させた洗浄ブラシユニットを使用する場合、洗浄ブラシユニットの誤装着を確実に防止する機構が望まれている。
【００８２】
図１３及び図１４は洗浄ブラシユニットの装置本体への誤装着を防止する内視鏡洗浄消毒装置に係り、図１３は誤装着防止機構及び洗浄槽にトレーを配設したときの誤装着機構の作用を説明する図、図１４は洗浄槽に別のトレーを配設したときの誤装着機構の作用を説明する図である。
【００８３】
図１３に示すように本実施形態の内視鏡洗浄消毒装置１の装置本体２の所定位置には誤装着防止機構５０を構成する例えば一対のプッシュロッド５１、５２が設けられている。プッシュロッド５１、５２は図示しない付勢手段であるコイルスプリングによって流体供給ノズル３２を介して洗浄槽４内に所定量、突出するように構成されている。洗浄槽４内に所定量、突出しているとき、プッシュロッド５１、５２の逆側端部は、ブラシユニット収容部５３内に所定量突出している。
【００８４】
本実施形態のトレー１０Ａは、ノズル挿通部１６近傍に誤装着防止機構５０を構成するロッド当接部１９を備えている。ロッド当接部１９は、図に示すようにプッシュロッド５１に対して逃げ部１９ａを備えたタイプ、或いは、プッシュロッド５１、５２に対して逃げ部を備えたタイプ、或いは、逃げ部を１つも備えていないタイプの例えば３種類を備えている。本実施形態において、ロッド当接部１９の端面はプッシュ部である。
【００８５】
例えば、ロッド当接部１９に逃げ部１９ａを備えるトレー１０Ａが洗浄槽４に配設されると、ロッド当接部１９の端面によって第２プッシュロッド５２が図示しないスプリングの付勢力に抗してブラシユニット収容部５３側に移動される。すると、第２プッシュロッド５２のブラシユニット収容部端面５３ａからの突出量が第１プッシュロッド５１の突出量よりも大きくなる。
【００８６】
このため、第２プッシュロッド５２が突出された状態において、ブラシユニット収容部５３内には、第２プッシュロッド５２端部を収容する図示しない凹部を備えた洗浄ブラシユニットが配設可能になる。言い換えれば、第２プッシュロッド５２端部を収容する凹部を備えていない洗浄ブラシユニットを、ブラシユニット収容部５３に収容することは阻止される。
【００８７】
これに対して、例えばプッシュロッドに逃げ部を設けていない図示しないトレーを洗浄槽４に配設した場合、ロッド当接部１９の端面によってプッシュロッド５１、５２が移動されて、図１４に示すようにプッシュロッド５１、５２のブラシユニット収容部端面５３ａからの突出量が元の突出量よりも大きくなる。このことによって、ブラシユニット収容部５３内には、プッシュロッド５１、５２の端部を収容する図示しない凹部をそれぞれ備えた洗浄ブラシユニットの配設が可能になる。
【００８８】
このように、装置本体に誤装着防止機構として、洗浄槽とブラシユニット収容部に所定量ずつ突出するプッシュロッドを一対設ける一方、洗浄槽に配設されるトレーの所定位置にロッド当接部を設ける。このことによって、ロッド当接部を備えるトレーを洗浄槽に収容したとき、ロッド当接部の作用によって、ブラシユニット収容部内にロッド当接部に対応するプッシュロッドが所定状態に配設される。このことによって、内視鏡の挿入部の長さ寸法に対応するブラシ挿入部を収納した洗浄ブラシユニットを確実に配設することができる。
【００８９】
なお、上述した実施形態において、凹部が形成されていない洗浄ブラシユニット内には最も短いブラシ挿入部が収納され、凹部が２つ形成された洗浄ブラシユニット内には最も長いブラシ挿入部が収納されている。このことによって、万一、内視鏡と対で対応する洗浄ブラシユニットが在庫切れであった場合でも、それより長いブラシ挿入部を有する洗浄ブラシユニットをブラシ収容部に収容させて洗浄作業を行える。
【００９０】
また、上述した実施形態においては、トレーを配設した後、洗浄ブラシユニットを配設する構成である。しかし、プッシュロッド５１、５２を図示しない付勢手段であるコイルスプリングによって図１５に示すようにブラシユニット収容部５３側に所定量、突出させる構成にし、図１６に示すように洗浄ブラシユニット５４にプッシュロッド５１、又は５２の一方、又は両方を押し込む押し込み部材５５を設ける。図１５は誤装着防止機構の他の構成を説明する図、図１６はプッシュロッドを移動させる押し込み部材を備える洗浄ブラシユニットを説明する図である。
【００９１】
この構成によれば、洗浄ブラシユニット５４を予め配設したとき、この洗浄ブラシユニット５４が備える押し込み部材５５によってプッシュロッド５１、５２の何れかが、洗浄槽側に押し出された状態になる。このことによって、図示しない逃げ部を備える所定のトレーだけが洗浄槽内に配設可能になる。
【００９２】
ところで、従来の内視鏡保管庫は、単に内視鏡を収納する機能を備えているだけであった。このような内視鏡保管庫では、保管庫内に収容されている内視鏡が、いつ、誰が、どのように洗浄消毒したかを確認することができなかった。そのため、洗浄消毒後の内視鏡が内視鏡保管庫内に長時間放置されてしまうおそれがあった。
【００９３】
このような不具合を防止するため、ユーザーによって、容易に、内視鏡保管庫内に収納されている内視鏡の洗浄消毒履歴を確認することができる内視鏡保管システムが望まれている。
【００９４】
図１７及び図１８は内視鏡保管システムに係り、図１７は内視鏡と、内視鏡を収容するトレーとを説明する図、図１８は内視鏡保管庫を説明する図である。
【００９５】
本実施形態の内視鏡保管システムは、図１７に示すように内視鏡７０と、内視鏡７０を収容するトレー８０と、トレー８０に収容された内視鏡７０をトレー毎保管する図１８に示す内視鏡保管庫９０とで構成されている。  
内視鏡７０は、例えば操作部７１に洗浄日時、洗浄担当者、洗浄方法等を記録することが可能な図示しないＲＦＩＤを備えている。トレー８０は、内視鏡収容部８１を備えている。トレー８０の備える内視鏡収容部８１は、内視鏡７０の操作部７１を所定位置に配設する操作部収容部８２を有している。
【００９６】
内視鏡保管庫９０は、トレー８０を収納する複数のトレー収納部９１を棚状に備えている。トレー収納部９１にはトレー設置部９２が備えられており、トレー８０を所定状態に配設することができるようになっている。また、トレー収納部９１の正面側である保管庫開口側には表示部９３、ＲＦＩＤリーダー部９４が設けられている。
【００９７】
内視鏡保管庫９０は、開口側に例えば透明部材で形成された図示しない扉を備えている。符号９５は操作パネルであり、符号９６は保管庫側表示部である。
【００９８】
内視鏡７０は、トレー８０の内視鏡収容部８１に収容された状態で、図示しない内視鏡洗浄消毒装置で洗浄消毒される。
【００９９】
ユーザーが内視鏡７０を内視鏡洗浄消毒装置で洗浄消毒を行うことによって、内視鏡洗浄消毒装置側から内視鏡７０に備えられているＲＦＩＤに洗浄日時、洗浄担当者、洗浄方法等が記録される。
【０１００】
洗浄終了後、ユーザーが、トレー８０に収容されている内視鏡７０をトレー毎、内視鏡保管庫９０に備えられているトレー収納部９１のトレー設置部９２に配置させる。このとき、トレー収納部９１に備えられているＲＦＩＤリーダー部９４の近傍に内視鏡７０の操作部７１が配設される。このことによって、ＲＦＩＤリーダー部９４によって、内視鏡７０に備えられているＲＦＩＤに記録されている洗浄日時、洗浄担当者、洗浄方法等が自動的に読み出される。
【０１０１】
そして、ＲＦＩＤリーダー部９４によって読み出された情報は、トレー収納部９１に備えられている表示部９３の画面上に表示される。表示部９３の画面上には、ユーザーが操作パネル９５を操作して選択した例えば内視鏡型名と洗浄後経過時間とが表示される。
【０１０２】
一方、保管庫表示部９６の画面上にはユーザーが操作パネル９５を操作して選択した各トレー収納部９１に収納されている内視鏡の型名、洗浄消毒終了時間、が表示される。そして、保管庫表示部９６の画面においては、洗浄消毒終了時間から予め設定されている時間が経過した内視鏡が保管されていた場合、表示色を緑色から赤色に変化させ、或いは表示を点滅状態に切り替えて、ユーザーにその旨を告知するようになっている。
【０１０３】
このように、内視鏡保管庫側に内視鏡に内蔵されたＲＦＩＤに記録されている内視鏡洗浄消毒に関する情報を自動的に読み出すＲＦＩＤリーダー及び読み出した情報を表示する表示部を設けたことによって、内視鏡保管庫に収容されている内視鏡がいつ処理されたか等を容易に確認することができ、効率的な洗浄消毒作業を行える。
【０１０４】
また、保管庫表示部に保管されている内視鏡の型名、洗浄消毒終了時間、洗浄消毒終了時間から予め設定されている時間が経過したことが表示されることによって、内視鏡の保管管理及び内視鏡検査計画を効率的に行うことができる。
【０１０５】
さらに、ユーザーが内視鏡に登録されている情報を選択的に表示させることによって、洗浄済みの内視鏡の識別管理も容易に行うことができる。
【０１０６】
なお、上述した実施形態においては、ＲＦＩＤリーダー部９４をトレー収納部９１にそれぞれ設けるとしているが、図１９に示すように保管庫の開口側にＲＦＩＤアンテナ９７を設けるようにしてもよい。図１９は内視鏡保管庫の他の構成を説明する図である。
【０１０７】
このことによって、内視鏡が内視鏡保管庫内に移動されると同時に内視鏡の備えるＲＦＩＤに記録されている情報を自動的に読み取らせることができる。
【０１０８】
尚、本発明は、以上述べた実施形態のみに限定されるものではなく、発明の要旨を逸脱しない範囲で種々変形実施可能である。
【図面の簡単な説明】
【０１０９】
【図１】図１乃至図５は本発明の第１実施形態に係り、図１は内視鏡洗浄消毒システムを説明する図
【図２】内視鏡と、その内視鏡と対の内視鏡収容部を備えるトレーとの組み合わせを説明する図
【図３】図２のトレーと図２とは別の内視鏡との組み合わせを説明する図
【図４】図２に示した内視鏡をトレーに収容した状態を示す図
【図５】図３に示した内視鏡がトレーへの収容を阻止された状態を示す図
【図６】図６乃至図９は本発明の第２実施形態に係り、図６は操作部及び径寸法が同径で長さ寸法が異なる挿入部を備える複数種類の内視鏡と、内視鏡が収容されるトレーとを示す図
【図７】検知用貫通孔を備えるトレーの構成を説明する図
【図８】内視鏡収容部に内視鏡が収容されたトレーを洗浄槽に配設した状態を示す図
【図９】装置本体の有する洗浄槽の底部に設けたセンサと洗浄槽に配設されたトレーに収容された内視鏡との関係を説明する模式図
【図１０】装置本体の有する洗浄槽の底部に設けた検出ピンとトレーに収容された内視鏡との関係を説明する模式図
【図１１】装置本体の有する洗浄槽の底部に設けた磁気センサとトレーに収容された内視鏡との関係を説明する模式図
【図１２】内視鏡と対の内視鏡収容部を備えるトレーにＲＦＩＤを設けた内視鏡洗浄消毒装置を説明する模式図
【図１３】図１３及び図１４は洗浄ブラシユニットの装置本体への誤装着を防止する内視鏡洗浄消毒装置に係り、図１３は誤装着防止機構及び洗浄槽にトレーを配設したときの誤装着機構の作用を説明する図
【図１４】洗浄槽に別のトレーを配設したときの誤装着機構の作用を説明する図
【図１５】誤装着防止機構の他の構成を説明する図
【図１６】プッシュロッドを移動させる押し込み部材を備える洗浄ブラシユニットを説明する図
【図１７】図１７及び図１８は内視鏡保管システムに係り、図１７は内視鏡と、内視鏡を収容するトレーとを説明する図内視鏡保管庫を説明する図
【図１８】内視鏡保管庫を説明する図
【図１９】内視鏡保管庫の他の構成を説明する図
【図２０】内視鏡収容部を備えるトレーにＲＦＩＤを設けた内視鏡洗浄消毒装置を説明する模式図
【符号の説明】
【０１１０】
１…内視鏡洗浄消毒装置    ２…装置本体    ３…トップカバー    ４…洗浄槽
５…挿入部位置決め突起    ６…操作部位置決め突起    ７Ａ…係入凸部
１０、１０Ａ…        トレー    １３…挿入部収容部    １４…操作部収容部
１５…ユニット挿通部    １６…ノズル挿通部    ２０、２０Ａ、２０Ｂ…内視鏡
２１、２１Ａ、２１Ｂ…挿入部    ２２、２２Ａ、２２Ｂ…操作部
２３Ａ、２３Ｂ…内視鏡側識別部    ２４Ａ、２４Ｂ…切り欠き孔    
２８…処置具用口金    ２９…口金    ３１…流体供給ユニット    
３２…流体供給ノズル
【図１】
2009165708.tif 000003
【図２】
2009165708.tif 000004
【図３】
2009165708.tif 000005
【図４】
2009165708.tif 000006
【図５】
2009165708.tif 000007
【図６】
2009165708.tif 000008
【図７】
2009165708.tif 000009
【図８】
2009165708.tif 000010
【図９】
2009165708.tif 000011
【図１０】
2009165708.tif 000012
【図１１】
2009165708.tif 000013
【図１２】
2009165708.tif 000014
【図１３】
2009165708.tif 000015
【図１４】
2009165708.tif 000016
【図１５】
2009165708.tif 000017
【図１６】
2009165708.tif 000018
【図１７】
2009165708.tif 000019
【図１８】
2009165708.tif 000020
【図１９】
2009165708.tif 000021
【図２０】
2009165708.tif 000022